(57)【特許請求の範囲】
【請求項１】
ハンギング・バスケット用支持台であって、
予め定める間隔をあけて配置された２本の支柱と、
ハンギング・バスケットを釣り下げ且つ支持するために前記支柱間に水平に配置され、前記支柱に接続された水平部材と、
前記支柱の中央部に軸支され、前記支柱に対して閉じた位置と予め定める角度開いた位置との間で回動可能であり、該開位置を取るとき該支柱を予め定める角度で立てうる、ステーとを備え、
前記水平部材は、上下方向に予め定める間隔をあけて少なくとも２本配置されている
ことを特徴とするハンギング・バスケット用支持台。
【請求項２】
前記支柱の下部に、ハンギング・バスケットを支持した当該支持台の重心から離れる方向に延在する転倒防止用のフックが設けられていることを特徴とする、請求項１記載のハンギング・バスケット用支持台。
【請求項３】
前記水平部材は、前記支柱上部と該支柱中央部に予め定める間隔をあけて少なくとも２本配置されたことを特徴とする、請求項１又は２記載のハンギング・バスケット用支持台。
【請求項４】
前記ステーは、前記支柱中央部の前記水平部材とほぼ同位置に軸支され、前記予め定める角度開いた位置において、前記ステーの上端が前記支柱中央部の前記水平部材と当接することにより、前記予め定める角度以上開くことが妨げられることを特徴とする、請求項３記載のハンギング・バスケット用支持台。
【請求項５】
前記ステーは、前記支柱に対して閉じた位置において、前記支柱と重なり、それにより当該支持台が平板状に折畳まれる、請求項１ないし４のいずれかに記載のハンギング・バスケット用支持台。
【発明の詳細な説明】
【０００１】
【発明の属する技術分野】
本発明は、ハンギング・バスケットに植物を植付けたり、  バスケット内の植物の剪定等の際におけるハンギング・バスケット用支持台に関する。
【０００２】
【従来の技術】
近年、道路、公園等公共の場所や、会社、住宅等において、植栽が盛んに行われている。植栽の中で最も手軽なものは、植木鉢やバスケット等を用いた草木の栽培である。とりわけ、ハンギング・バスケットを用いて、街路灯等各種ポール、フェンス、建築構造物の壁面や手摺り等を草花で美しく飾ることが日常的になってきている。これに伴い、ハンギング・バスケットの種類、形状あるいはその灌水等の諸作業用に様々な工夫が施されている。例えば、特開平１１−１６８９８６号公報に開示されているように、バスケットの横方向から苗を植付けることができる多段式のハンギング・バスケットや、特開平１１−２４３７９７号公報に開示されているように、街路灯等ポールの上部に吊設されているハンギング・バスケット用の灌水タンク等がある。
【０００３】
【発明が解決しようとする課題】
ところが、ハンギング・バスケットは、一般に、街路灯等ポールに吊設されたり、建築構造物の壁面や手摺りに取付けられて使用されるため、バスケットの下部が小さく絞られ、底部の面積が狭くなっている。このようなハンギング・バスケットを卓上や床面に置くと、その不安定な姿勢のために転倒し易いという問題があった。特に、ハンギング・バスケットに植物を植付けたり、バスケット内の植物の剪定等を行う際、卓上や床面に置かれたハンギング・バスケットが転倒すると、その中の植物が損傷を受けるという不都合があった。
【０００４】
そこで、本発明の目的は、ハンギング・バスケットに植物を植付けたり、バスケット内の植物の剪定等を行う際、不安定な形状のハンギング・バスケットの転倒を防止し、バスケット内の植物が損傷を受けることなく、植付け、剪定等の諸作業を容易に行うことができるバスケット支持台を提供することにある。
【０００５】
【課題を解決するための手段及び発明の効果】
上記目的を達成するため、本発明では、ハンギング・バスケットを実際の据付状態に近いほぼ直立の姿勢で支持台に取付けることができ、その状態で植物の植付け、剪定等を容易に行うことができる支持台を提供する。即ち、支持台を予め定める間隔をあけて配置された２本の支柱と、ハンギング・バスケットを釣り下げ且つ支持するために、前記支柱間に水平に配置され、前記支柱に接続された水平部材と、前記支柱の中央部に軸支され、前記支柱に対して閉じた位置と予め定める角度開いた位置との間で回動可能であり、該開位置を取るとき該支柱を予め定める角度で立てうる、ステーとを備え、前記水平部材は、上下方向に予め定める間隔をあけて少なくとも２本配置されている構成とする。構成素材として単純な直線形状の角材又は板材を用いることができるため、製作が容易である。支持台の材料に木材、樹脂、軽金属等を選ぶと、軽量で持運びが容易である。
【０００６】
又、支柱の下部に、ハンギング・バスケットを支持した支持台の重心から離れる方向に延在する転倒防止用のフックを設けることが好ましい。このように構成すれば支持台の高い安定性が得られる。
更に、ハンギング・バスケット取付け用の水平部材を少なくとも２本設けるように構成されているため、背が高い人も低い人も各自都合の良い支持台の位置にハンギング・バスケットを取付け、植物の植付け、剪定等を行うことができる。
【０００７】
又、ハンギング・バスケットのステーを折畳むと、ステーと支柱が重なり、平板状になる単純な構造にするとよい。このようにすれば、持運び、収納が極めて容易となる。
【０００８】
【発明の実施の形態】
本発明の実施の形態としての具体例を、添付図面に基づいて説明する。図１は、ハンギング・バスケット用支持台の全体斜視図である。図２は、支持台を図１のF方向から見た正面図である。図３は、図２のX-X断面図である。図４及び図５は、支持台にハンギング・バスケットを取付けた図である。図６は、支持台を折畳み、側面方向から見た図である。図７は、支持台の転倒防止フックを示す図である。図８は、異なる形状をした転倒防止フックを支持台に取付けた図である。
【０００９】
図１及び図２に示すように、支持台１は、縦方向の部材と横方向の部材の組合わせと、転倒防止フックとで構成されている。縦方向の部材は、２本の支柱２と、支柱２に取付けられている２本のステー４とからなる。支柱２は、断面が約３cmх２cm、長さ約５０cmの角材で、その側面の下端付近には転倒防止フック取付け用の直径３〜４mmの穴が２個設けられている。ステー４は、支柱２と同じ大きさの断面で長さ約３０cmの角材であり、支柱２の内側に支柱２に対して回動可能に取付けられている。即ち、図３に示すように、ステー４の支柱側に設けられた円柱状の穴２４と、穴２４に対面する支柱２のステー側に設けられた円柱状の穴２２にダボ２６が挿入され、ダボ２６を介してステー４と支柱２が結合されている。
【００１０】
横方向の部材は、断面が約７cm×１cm、長さ約４０cmの板状の水平部材６、８、１０と、断面が約４cm×１cm、長さ約４０cmの板状の水平部材１２、１４とからなる。これらの水平部材は、支柱２あるいはステー４に釘１６で固定されている。水平部材６、８は、ハンギング・バスケット取付け用の部材であり、水平部材１０、１２は、２本の支柱２の結合補強用の部材であり、水平部材１４は、２本のステー４の結合補強用の部材である。支柱２、ステー４、水平部材６、８、１０、１２、１４は、木材、ポリプロピレン等の樹脂、アルミニウム合金等の軽金属等で作ることができる。それらの組付けには釘、ねじ、リベット、接着剤等を用いる。
【００１１】
次に、支持台１の使用方法について述べる。図４及び図５に示すように、ステー４を支柱２から完全に引出す。その場合、水平部材８のハンギング・バスケット３が掛けられるのと反対側の面に、ステー４の上端面が当接して、ステー４のそれ以上の回動が妨げられ、ステー４が支柱２に対して開いた位置となり、支持台１が安定した状態となる。この状態で支持台１を卓上、床面等に置き、支持台１の水平部材６あるいは８に、S字型フック５を介してハンギング・バスケット３を取付ける。そうすると、ハンギング・バスケット３は、建築構造物の壁面や手摺りにおける実際の据付状態に近いほぼ直立の姿勢で支持台１に取付けられる。水平部材６に取付けられると、ハンギング・バスケット３は、図４に示すように、支持台１の高い位置になり、ハンギング・バスケット３の下部は、水平部材８により支持される。又、水平部材８に取付けられると、ハンギング・バスケット３は、図５に示すように、支持台１の低い位置になり、ハンギング・バスケット３の下部は、水平部材１０により支持される。その状態で、上下各位置において、支持台１をハンギング・バスケット３の作業台として用い、植物の植付け、剪定、施肥、除草等を容易に行うことができる。水平部材６あるいは８に取付けられたハンギング・バスケット３は、安定しているので上記諸作業中にバスケットが転倒する心配はない。
【００１２】
この支持台１を折畳むと、図６に示すように、２本の支柱２の間に設けられているステー４の後面４aが、支柱２の後面２aと同一面内に重なり、ステー４が支柱２に対して閉じた位置となり、支持台1 全体が平板状に折畳まれる。従って、支持台１の持運び、収納が極めて容易である。
【００１３】
又、必要に応じて、支持台１に転倒防止フック７を取付けることができる。転倒防止フック７は、図５に示すように、支持台１の下端から前方（図５のF方向）即ちハンギング・バスケット３を支持した支持台１の重心位置から遠ざかる方向に伸びている。その形状は、図７に示すように、床面等との接触部分が長くなるようにしてあり、直径２〜３mmの鋼線で成形されている。この転倒防止フック７を支持台１に取付けるには、図５に示すように、フック７の両端を支柱２の側面下端付近に設けられた、転倒防止フック取付け用の穴２０に差込めばよい。又、転倒防止フック７aを図８に示すような簡単な形状にして左右一体に成形し、支柱２の前面下端付近に設けられた１個の穴に差込むようにすることもできる。あるいは図示されていないが、転倒防止フック７、７aを鋼線で成形する代わりに、木材、樹脂などで製作し、支柱２の下端に前方からはめ込むこともできる。
【００１４】
更に、ハンギング・バスケット３を取付けた支持台１を、そのまま鑑賞用フラワー・スタンドとして用いることもできる。
従来、ハンギング・バスケット３を飾る場所は、それを取付けるための街路灯等各種ポール、フェンス、建築構造物の壁面や手摺り等に限定されてきた。しかし、本発明によるハンギング・バスケット用支持台１を鑑賞用フラワー・スタンドとして用いる場合、設置場所が平坦であれば場所を選ばず、所望の場所に自由に置くことができる。又、持運びが容易であるので、日照、降雨等の自然条件に合わせて、ハンギング・バスケット用支持台１を自由に移動させることができる。更に、ハンギング・バスケット３を自動車等に積載して移動させる場合も、バスケットを取付けたハンギング・バスケット用支持台１を自動車の座席等に載せ、シートベルトで動かないように固定するだけで、バスケットの中の植物を損傷させることなく運搬することができる。
【図面の簡単な説明】
【図１】  ハンギング・バスケット用支持台の全体斜視図である。
【図２】  図１の正面図である。
【図３】  図２のX-X断面図である。
【図４】  支持台にハンギング・バスケットを取付けた状態を示す図である。
【図５】  支持台にハンギング・バスケットを取付けた状態を示す図である。
【図６】  折畳まれた支持台の側面図である。
【図７】  支持台の転倒防止フックを示す図である。
【図８】  異なる形状の転倒防止フックを支持台に取付けた状態を示す図である。
【符号の説明】
１…ハンギング・バスケット用支持台
２…支柱                    ２a…支柱後面
４…ステー                  ４a…ステー後面
３…ハンギング・バスケット  ５…S字型フック
６、８、１０…水平部材      １２、１４…水平部材
７、７a…転倒防止フック    １６…釘
２０…転倒防止フック取付け用の穴
２２…円柱状の穴
２４…円柱状の穴
２６…ダボ
【図１】
0004740447.tif 000002
【図２】
0004740447.tif 000003
【図３】
0004740447.tif 000004
【図４】
0004740447.tif 000005
【図５】
0004740447.tif 000006
【図６】
0004740447.tif 000007
【図７】
0004740447.tif 000008
【図８】
0004740447.tif 000009